(57)【要約】【解決手段】本発明は、工業情報ネットワークにおける規格接続用の、特にイーサネット準拠の用途用のＲＪ４５プラグ（３３）用のジャックコネクタ（１）に関する。ジャックコネクタは、差込み方向（Ｚ）とは逆向きに開口するプラグソケット（３）と、複数のばねコンタクト（４）とを具備する。ばねコンタクトは、各々が差込み方向に沿ってプラグソケット内に突出する傾斜面（２７）を形成する。下位互換性があって振動抵抗を有する接続を可能にするために、本発明によれば、ばねコンタクトの各々は、差込み方向に沿って傾斜面（２７）からずれた別の傾斜面（２６）を形成することが提案される。
2010516026.tif 000002
【特許請求の範囲】
【請求項１】
工業情報ネットワークにおける規格接続用の、特にイーサネット準拠の用途用のＲＪ４５プラグ（３３）用のジャックコネクタ（１）であって、
差込み方向（Ｚ）とは逆向きに開口するプラグソケット（３）と、各々が前記差込み方向に沿って前記プラグソケット内に突出する傾斜面（２７）を形成する複数のばねコンタクト（４）とを具備するジャックコネクタにおいて、
前記ばねコンタクトの各々が、前記差込み方向に沿って前記傾斜面からずれた別の傾斜面（２６）を形成し、
該別の傾斜面（２６）は、前記差込み方向に投影して前記傾斜面（２７）と重なり合うことを特徴とするジャックコネクタ。
【請求項２】
前記ばねコンタクトは、挿入状態において、それぞれ割り当てられたプラグコンタクト（３４）に２個の接点（２８，２９）で接触することを特徴とする請求項１記載のジャックコネクタ。
【請求項３】
前記ばねコンタクトは、前記差込み方向に沿って前記傾斜面間に、ハウジング（２）に少なくとも間接的に載り、前記プラグ（３３）が前記ジャックコネクタに接続される際に前記プラグソケットを取り囲む支持部（Ｅ）を形成することを特徴とする請求項１又は２記載のジャックコネクタ。
【請求項４】
前記ばねコンタクトは、前記プラグソケット内に自由に振動する態様で突出することを特徴とする請求項１記載のジャックコネクタ。
【請求項５】
２個の前記傾斜面間の前記ばねコンタクトの経路は、前記ハウジングに近接した湾曲部（３０）を有することを特徴とする請求項１ないし４のうちいずれか１項記載のジャックコネクタ。
【請求項６】
前記差込み方向に沿った前方の傾斜面（２６）は、前記ばねコンタクトの前記ハウジングから離れた接点（２８）で終わることを特徴とする請求項１ないし５のうちいずれか１項記載のジャックコネクタ。
【請求項７】
前記ばねコンタクトは、前記差込み方向の沿った前記前方の傾斜面（２６）の、前記差込み方向の配置された一端の領域で、前記差込み方向に対して横断する方向に前記プラグソケット内に湾曲することを特徴とする請求項１ないし６のうちいずれか１項記載のジャックコネクタ。
【請求項８】
前記ばねコンタクトが配置された横面（５ａ）とは異なる横面（５ｂ）に、前記プラグソケット内に突出する少なくとも１個の保持ばね（１８）が設けられていることを特徴とする請求項１ないし７のうちいずれか１項記載のジャックコネクタ。
【請求項９】
前記少なくとも１個の保持ばねは、前記差込み方向に沿った前記前方の接点（２８）の前方に配置されていることを特徴とする請求項８記載のジャックコネクタ。
【請求項１０】
互いに逆向きに作用する少なくとも１対の前記保持ばね（１８）が設けられていることを特徴とする請求項８又は９記載のジャックコネクタ。
【請求項１１】
前記保持ばねは、前記差込み方向に沿って連続して配置された２個の分離した傾斜面（１８ｂ）を形成することを特徴とする請求項８ないし１０のうちいずれか１項記載のジャックコネクタ。
【請求項１２】
前記プラグソケット内に突出すると共に前記ばねコンタクトの作用の方向と逆向きに作用する少なくとも１個のばね要素（１６）が設けられていることを特徴とする請求項１ないし１１のうちいずれか１項記載のジャックコネクタ。
【請求項１３】
前記差込み方向に沿った前記プラグソケットの長さ（Ｌ）が、プラグ規格により決定された寸法を超えており、
前記プラグソケットは、相互に対向する横面に前記差込み方向に沿って延びえるガイド面（６，７，８，９，１０，１１，１２，１３）を形成し、
該ガイド面間の距離（Ａ，Ｂ）は、前記規格の許容差の最小寸法にほぼ対応することを特徴とする請求項１ないし１２のうちいずれか１項記載のジャックコネクタ。
【請求項１４】
請求項１ないし１３のうちいずれか１項記載のジャックコネクタ（１）と、プラグ（３３）とを具備することを特徴とする配置構造。
【請求項１５】
前記ばねコンタクトは、前記２個の接点（２８，２９）で関連する前記プラグコンタクト（３４）に接触し、
前記２個の接点は、前記傾斜面（２６，２７）にそれぞれ関連することを特徴とする請求項１４記載の配置構造。
【請求項１６】
前記プラグは、前記保持ばねと協働する少なくとも１個の窪み（４７）を形成することを特徴とする請求項１４又は１５記載の配置構造。
【請求項１７】
前記プラグは、少なくとも前記差込み方向を横断する方向に、前記ジャックコネクタに弾性的に実装されていることを特徴とする請求項１４ないし１６のうちいずれか１項記載の配置構造。
【発明の詳細な説明】
【技術分野】
【０００１】
本発明は、工業情報ネットワーク内での標準接続用のジャックコネクタに関し、特に、差込み（plug-in）方向とは逆向に開くプラグソケットと、差込み方向に沿ってプラグソケットへの傾斜面をそれぞれ形成する複数のばねコンタクトとを具備する、イーサネット（登録商標）準拠の用途用のＲＪ４５ジャックコネクタに関する。
【背景技術】
【０００２】
工業界では、オフィス技術においてしばらくの間、情報ネットワーク及び通信技術からの標準化されたデータ転送法が使用されている。その技術的汎用性及び利用の普及のおかげで、このデータ転送法は特に、ＩＥＥＥ８０２．３に従ったイーサネット（登録商標）準拠のデータ変換に適用される。オフィス通信の分野において、ＲＪ４５ジャックコネクタとしても知られているＩＥＣ６０６０３−７−１規格に従った８ピンモジュラコネクタが、接続システム内でのラインイーサネット（登録商標）転送用の利用が功を奏した。これらのコネクタでは、ばねコンタクトは、各プラグ側コンタクトがその隅と共に進む方向へ傾斜面を形成する。
【発明の開示】
【発明が解決しようとする課題】
【０００３】
それらのコネクタの広く有利な利用性のおかげで、工業界で確立したＲＪ４５規格を使用する努力がなされてきた。しかし、ＲＪ４５及びオフィス技術から公知のジャックコネクタの性能は、特に工業界で使用には十分ではない。特に、接続の機械的耐力性並びに塵埃及び水分の不浸透性が不十分である。
【０００４】
ＩＥＣ６１０７６−３−１０６規格の草案は、工業用途にＲＪ４５規格を適合させるために提案された１４もの異なる解決手段を開示する。さらに、規格草案を受け継いだ原理を採用した製品は、市場で公知である。独国特許１０２００４０３８１２３号明細書及び国際公開０２／０６７３２８７号明細書は、ＲＪ４５と互換性があり強化された機械的耐力性を有する電気接続を開示する。しかし、これらの電気接続は、振動のリスクが顕著である環境での使用が極めて限定されている。
【０００５】
これらの公知の解決手段に共通する特徴は、プラグ及びジャックコネクタ用の外側の覆いの形状のみにより、機械的耐力性が達成される点である。ジャック及びプラグからなる実際のＲＪ４５コネクタは常に、任意の構成された規格オフィス通信製品である。ＲＪ４５規格プラグが顕著な機械的ストレスの下での使用に特に適していないという事実は、とりわけＩＥＣ６０６０３−７−１規格に多くの許容差があるため、依然として問題がある。これらの許容差のため、ジャックコネクタ内でプラグの顕著な遊びが多かれ少なかれ常にある。
【０００６】
オフィス技術では生じない別の問題は、プラグ接続が工業用途での機械に実装されるので、連続的な振動にさらされ得ることである。公知のＲＪ４５接続部におけるジャックコネクタ及びプラグ間の遊びは、接点に相対移動をもたらし、その結果、接点表面に損傷を与え、接触障害、そして最後には接続不良又はパケットの損失をもたらす。
【０００７】
これらの欠点に鑑み、本発明は、工業用途用のプラグ接続の振動からの保護を改善する、特にＲＪ４５に従った規格接続に下位互換性があるジャックコネクタを提供することを目的とする。
【課題を解決するための手段】
【０００８】
上記目的は、最初に述べたタイプのジャックコネクタについて、各ばねコンタクトが、差込み方向に沿って傾斜面からずれた別の傾斜面を形成することで達成される。
【０００９】
２個の連続する傾斜面により、プラグコンタクトにそれぞれ配置された２箇所の接点でばねコンタクトが接触することができる。２箇所の接点は、２つの傾斜面にそれぞれ割り当てられる。また、この構成では、規格に従って構成されたプラグは、制限なく使用することができる。これは、規格が要求する差込み方向に沿って後方に位置する（trailing）傾斜面により確保される。差込み方向に沿って前方に位置する（leading）傾斜面上の追加の接点は、規格プラグの追加の接触用に使用することができる。
【００１０】
本発明の技術思想は、それ自体に利点がある多数の独立した構成によりさらに改善することができる。
【００１１】
従って、有利な構成において、ばねコンタクトは、差込み方向に沿って傾斜面間に、ハウジングに少なくとも間接的に載り、プラグがジャックコネクタに接続される際にプラグソケットを取り囲む個別の支持部を形成することができる。この手段により、傾斜面に配置された２箇所の接点上に一様にばね力が分布することが確保される。支持部は接点間でばねコンタクトと接触するので、支持部の両側に位置するばねコンタクトの領域が、互いに独立して作動するばねを形成する。「ハウジングの間接的な支持」の表現は、ハウジング及び支持部の間に別の要素が配列され得るという事実を指す。特に、ばねコンタクトはそれ自体に曲げ返すことができるので、支持部は、ばねコンタクトの異なる部分に接触して載り、信号経路を短縮する。
【００１２】
さらに有利な構成によれば、ばねコンタクトは、自由に振動する態様でプラグソケット内に突出することができ、換言すると、一端でジャックコネクタのハウジングに固定することができる。これにより、ばねコンタクトの高い弾性を可能にするので、異なる形状のプラグコンタクトへの適合性が向上する。
【００１３】
ばねコンタクトはまた、差込み方向とは逆向きに延びる脚と、差込み方向に沿って延びる脚とを有する。これら脚は、特に曲げ部により結合させることができる。傾斜面は、差込み方向に沿って延びる脚に形成することができる。この構成はばねコンタクトをより柔軟にするので、より容易に振動に追従することができる。ばねコンタクトの２本の脚は、好適には一平面内に重なり合う。ハウジングに近接した下側脚は、ジャックコネクタのハウジングに接続される。
【００１４】
２個の傾斜面の間で、ばねコンタクトの経路は、ハウジングに近接した湾曲部分を有することができる。湾曲部は、方向変更するキンク又は曲げ部の形態で構成され、特に支持部を形成することができる。
【００１５】
別の湾曲部は、差込み方向に沿って配置された傾斜面の端部でハウジングから離れたばねコンタクトの領域に配置することができる。この構成では、差込み方向に沿って前方に位置する接点は、湾曲部により形成され、換言するとばねコンタクトのキンク又は曲げ部により形成される。
【００１６】
製造技術の観点では、湾曲部は、曲げ加工、キンク加工又は打抜き加工により容易に生成することができる。湾曲部は、ばねコンタクトをより柔軟にする。強度疲労の障害を最小にするために、湾曲部の半径が小さ過ぎないことが有利である。
【００１７】
複数点での決まっていない接圧ではなく、一点での決まった接圧を生成するために、ばねコンタクトは、接点領域においてプラグソケット内へ差込み方向に対して横断する方向に湾曲する接触面を有することができる。この結果、湾曲面は、プラグ及びジャックコネクタ間の相対移動の間、接点においてプラグコンタクト上にローリングし、点接触を確保する。
【００１８】
また、ＲＪ４５プラグ接続では、高い周波数で良好な伝達特性を確保することは困難である。特に、ＩＥＣ６０６０３−７−５規格に従った高周波での近端漏話は、巨大な難題である。
【００１９】
高い周波数での伝達特性を改善するために、領域に接続ラインを配置し、異なる平面で隣接するばねコンタクトをプラグソケット内に突出させることにより、隣接するばねコンタクト間の距離を増大させることができる。接続ラインはいかなるタイプであってもよい。製造技術の観点では、対応する長さのばねコンタクトの接続部の接続ラインが一部品で形成されることが好ましい。さらに、高い周波数での伝達特性を改善するために、隣接するばねコンタクトの差込み方向に沿った後方の傾斜面は、異なる平面で終わってもよい。
【００２０】
漏話を低減するための別の或いは追加の手段は、隣接するばねコンタクトの場合、プラグソケット内に突出するばねコンタクトの領域に接続ライン又は接続部の交差を含む。
【００２１】
プラグソケットは、プラグ用にほぼ直方体のソケット空間を形成することができる。ばねコンタクトは、ソケット空間の横面上に配置される。
【００２２】
ジャックコネクタ内に挿入されたプラグが比較的大きな力で保持されるようにするために、別の有利な構成に従ったばねコンタクトの横面とは異なる横面上に、保持ばねを追加で設けてもよい。付加的な力は、このタイプの保持ばねによりプラグに作用する。保持ばねはプラグの挿入時に撓み、この結果、プラグがジャック内で案内されると共によく位置決めされる。
【００２３】
特に振動への高い抵抗をもってプラグをジャックコネクタ内に実装でき、ジャックコネクタ内でのプラグの遊びを補償するために、少なくとも１対の対向する保持ばねを設けてもよい。
【００２４】
保持ばねは、特に差込み方向に沿った傾斜面の領域内へ延びるので、特にＲＪ４５プラグのプラスチック先端に載る。振動がある場合にプラグがジャックコネクタ内に所定の強度に固定されるように、保持ばねの保持力を設定するのが好ましい。ジャックコネクタ内でのプラグの相対移動は、公知の製品の場合よりも、より大きな振動振幅のみで始まる。
【００２５】
ジャックコネクタ内にプラグを追加でラッチできるようにするために、プラグは、保持ばねを受容するための拡大部を有してもよい。
【００２６】
さらに有利な構成において、保持ばねは、導電シールドばねコンタクトとして構成されてもよい。導電シールドばねコンタクトは、ジャック内に挿入されるプラグのシールドに対して、ジャックコネクタをクラッドし又は取り囲むシールドを接続する。特に、シールドのシールドばねコンタクトは、例えば打抜き加工及び曲げ加工により形成してもよい。この構成では、保持ばねが、ＲＪ４５プラグのプラスチック先端の領域における純粋に機械的な保持ばねとして、及びケーブルに向かって配置されたプラグのシールド部におけるシールドコンタクトとしての二重の役割を果たす。
【００２７】
シールドばねコンタクトはまた、ばねコンタクトに対応する構成を有することができるので、特に、差込み方向に重なり合い、支持部により互いに分離された２個の傾斜面を形成することができる。
【００２８】
また、ばねコンタクトの作用方向とは逆向きに作用するばね要素が、プラグソケット内に突出してもよい。プラグが挿入され、ばね要素が撓むと、ばね要素の押下力により、接触力がジャックコネクタ及びプラグの範囲にわたって互いに若干異なることが確保される。
【００２９】
ジャックコネクタ内へのプラグの挿入は、差込み方向とは逆向きに配置され、プラグソケットの開口を取り囲むと共に差込み方向とは逆向きに広がる入口面取り部により簡単にすることができる。
【００３０】
差込み方向に沿ったジャックコネクタのソケット長さが規格寸法を超えた場合、且つ好ましくは対で互いに対向し、平坦なガイド面の形態を有する、差込み方向に沿って延びるプラグガイドをソケットが具備する場合に、プラグ及びジャックコネクタの組立構造の機械的耐力性も増大することができる。プラグガイド間の距離は、規格の許容差の最小寸法に従って設計される。挿入後の状態において、プラグの対応する領域は、プラグガイド上に可能な限り平坦に載る。プラグの、従ってプラグガイドの延長はジャックコネクタ内のプラグの可動性を低減するのに対し、プラグ接続部に作用する力は同時により大きな面積にわたり、面圧力を低減する。規格の許容差の最小寸法に従ってガイド面の間隔を設計することにより、プラグの可動性を同時に最小にしながら、規格との互換性を確保する。
【００３１】
最後に、ジャックコネクタは、例えばねじ止め又はロックにより、特にこの目的のために構成されたプラグをロックする保持部材を有してもよい。ジャックコネクタの保持部材は、印刷回路基板に対してしっかりと不動に接続されるので、プラグ及びケーブルのいかなる機械的応力も、ジャックコネクタを介して印刷回路基板に直接伝達される。
【発明を実施するための最良の形態】
【００３２】
以下、図面に図示された種々の実施形態により、一例としての本発明を説明する。異なる実施形態における異なる構造は、任意であるが、以下に示唆されるように互いに組み合わせてもよい。具体的構造に関連する利点が特定用途で重要でない場合、その構造は省略可能である。
【００３３】
本発明に従ったジャックコネクタ１の構造を、図１を参照して最初に説明する。ジャックコネクタ１は、射出成形されたプラスチック材料製であるほぼ直方体のハウジング２を具備する。
【００３４】
ハウジング２は、直方体構造を有する、差込み方向Ｚとは逆向きに外方に開口する凹部の形態のプラグソケット３を取り囲む。プラグソケット３は、中央平面Ｍで対称な構成を有し、差込み方向Ｚに沿って挿入される相手プラグ３３（図３参照）を受容する構造である。
【００３５】
ジャックハウジング１は、ハウジング２の横面５ａからプラグソケット３内に突出する複数のばねコンタクト４を具備する。差込み方向Ｚと平行に延びる８個のばねコンタクト４は、例えば図１に示されるＲＪ４５タイプのコネクタジャック１に設けられる。図２を参照して、ばねコンタクト４の構成を以下に詳細に説明する。
【００３６】
プラグソケット３はまた、平坦な支持ガイド面６，７，８，９，１０，１１，１２，１３を具備する。これらのガイド面６，７，８，９，１０，１１，１２，１３は、差込み方向Ｚに沿って延びており、差込み方向Ｚに対して直交し且つプラグソケット３の側面と平行なＸ，Ｙ方向にそれぞれ対となって互いに対向している。ガイド面６，９及びガイド面１０，１３の対はＹ方向に相互に対向しており、ガイド面７，１２及びガイド面８，１１の対はＸ方向に相互に対向している。ガイド面７，８及びガイド面１１，１２間のＸ方向の距離Ａは、例えばＩＥＣ６０６０３−７−１規格に従ったＲＪ４５等の接続システムのプラグ規格に従った最小寸法に対応する。ガイド面６，９及びガイド面１０，１３間の距離Ｂも同様である。差込み方向Ｚに沿ったガイド面６，７，８，９，１０，１１，１２，１３の長さＬは、ジャックコネクタ１内でより大きな長さにわたってプラグ３３（図３参照）をガイドし、且つ傾斜（tilting）運動の隙間を減少させるために、プラグの規格の規格長さより大きい。
【００３７】
プラグソケット３の開口Ｏは、入口面取り部１４により取り囲まれる。入口面取り部１４は、差込み方向Ｚとは逆向きに幅広になっており、開口Ｏを通ってプラグソケット３内へのプラグ３３（図３参照）の挿入を簡単にする。
【００３８】
ジャックコネクタ１は、ばねコンタクト４の他に１対のばね要素１６を具備する。ばね要素１６は、プラグソケット３内にプラグ３３（図３参照）を付加的に固定すると共に、ジャックコネクタ１内でのプラグ３３の遊びを補償する。ジャックコネクタ１の中央平面Ｍに対して対称的に配置されたばね要素１６は、Ｙ方向に沿ってジャックコネクタ１のばねコンタクト４から離れた横面からプラグソケット３内に突出するので、その作用する向きはばねコンタクト４の作用する向きと逆である。各ばね要素１６は、差込み方向Ｚに連続する、挿入後のプラグ３３が載る２個の支持領域１６ａを形成するのが好ましい。支持領域１６ａは、差込み方向Ｚに沿って傾斜面１６ｂに隣接する曲げ部又はキンクの形態の、ハウジング２から離れた湾曲部により形成される。
【００３９】
また、Ｘ方向に沿って互いに逆向きのプラグソケット３の横面５ｂに、互いに逆向きに作用する少なくとも１対の保持ばね１８を形成してもよい。図１に示されるように、保持ばね１８は、フォーク状の構成を有し、プラグソケット３内に突出すると共に挿入されたプラグ３３に抗して押圧する例えば３個の保持点１８ａを形成する。ばね要素１６の支持領域１６ａと同様に、保持ばね１８の保持点１８ａは、例えば、キンク又は曲げ部により保持ばね１８の途中の湾曲部により形成される。保持点１８ａは、差込み方向Ｚに沿って延びる傾斜面１８ｂに隣接してそれぞれ配列される。
【００４０】
保持ばね１８は、少なくとも差込み方向Ｚに沿った前方の保持点１８ａでプラグソケット３内に湾曲する輪郭を有する。これは、例えばプラグソケット３から離れた側に溝を刻むことにより得ることができる。
【００４１】
図１に示される実施形態において、保持ばね１８及びばね要素１６は、ジャックコネクタ１内に挿入されたプラグ３３（図３参照）のシールドと導電接触するシールドばねコンタクトとして作用する。この目的のために、ばね要素１６及び保持ばね１８は、プラグソケット３を取り囲むシールド板１９上に一体に形成されるのが好ましい。図１に示されるように、シールド板１９は、コネクタ１のハウジング２の外部を取り囲む。シールド板１９は、材料の連結部（web）から製造され、ハウジング２の周囲に折り返され、連結要素２０により共に保持される。ばね要素１６及び保持ばね１８は、シールド板１９の打ち抜かれた突起により形成され、差込み方向Ｚとは逆向きに周縁２１を取り囲み、開口Ｏを通ってプラグソケット３内に曲げられる。
【００４２】
ハウジング２の差込み方向Ｚに向う前面のスロット２２は、シールド板１９をさらに固定するために使用してもよい。
【００４３】
最後に、プラグソケット３内のハウジング２は、Ｚ方向に沿って配置され且つ互いに向う２個の停止部２３，２４を形成する。これら停止部は、その間にプラグ側ラッチ部材３７（図３参照）を受容するための凹部２５を形成する。
【００４４】
さて、図２を参照して、ばねコンタクト４の構造を説明する。本実施形態において、既に説明した要素には、図１に使用された参照番号を使用する。
【００４５】
ばねコンタクト４は、打ち抜かれた材料又は線状材料から形成されており、差込み方向Ｚに連続して配列され各々に接点２８，２９が割り当てられた２個の分離した傾斜面２６，２７を具備する。傾斜面２６，２７は、差込み方向Ｚに投影して相互に重なり合う。傾斜面２７の一端２７ａは、差込み方向Ｚに沿って傾斜面２６によりもさらにプラグソケット３内に突出する。
【００４６】
傾斜面２６，２７は、Ｙ方向及び差込み方向Ｚに対して傾いてプラグソケット３（図１参照）内に延びている。差込み方向Ｚにおいて、傾斜面２６は、ばねコンタクト４の経路の湾曲部３０内の接点２８で終わる。湾曲部３０は、ばねコンタクト４の経路の方向の変更点、換言するとキンク又は曲げ部を表す。接点２９は傾斜面２７の領域に配置されている。
【００４７】
湾曲部３０は、差込み方向Ｚに沿ってハウジング２から離れた湾曲部２８の後、換言すると傾斜面２７の始めの接点２８の後に配置されている。従って、ばねコンタクト４の経路は、傾斜面２６，２７の間の領域において、Ｙ方向に突出する二重のキンク又は二重の曲げ構造を有する。
【００４８】
接点２８，２９において、ばねコンタクト４は窪んだ断面を有するのが好ましいので、Ｘ方向の断面はプラグソケット３（図１参照）内に湾曲する。この目的のために、ばねコンタクト４は、例えばプラグソケット３から離れた側に溝を有する、中空輪郭として構成されてもよい。
【００４９】
高周波での伝達作用を改善するために、差込み方向Ｚに沿った傾斜面２７は、Ｙ方向に相互に離隔する異なる平面Ｉ，IIで終わる。同様に、ばねコンタクト４をジャックコネクタ１（図１参照）の外側に配置されたコンタクトに接続する接続ラインすなわち接続部３１もまた、Ｙ方向に沿って互いに離隔した平面III，IVで終わる。図２に示されるように、接続部３１はまた、ばねコンタクト４により一体部品に形成されてもよい。
【００５０】
隣接するばねコンタクト４の接続部３１をＸ方向に交差させると、漏話特性をさらに改善することができる。これは、接続部３１がＸ方向及び差込み方向Ｚとほぼ平行な平面内にあり且つＹ方向で交差するオフセット部３２を有すると、達成できる。
【００５１】
接続部３１及び端部２７ａを異なる平面に配置したこととは独立して、複数の接点２８及び複数の接点２９は、隣接するばねコンタクト４にそれぞれ一平面内に配置され、接続が規格に従っていることを保証する。
【００５２】
図３は、プラグ３３が不完全に挿入された状態の、図１のジャックコネクタ１を通る断面図である。プラグ３３は、各スロット３５内で平行に配列されたプラグコンタクト３４を具備する。スロット３５は、差込み方向Ｚに沿って且つＹ方向とは逆向きに下方に開口し、少なくともばねコンタクト４の幅に対応するＸ方向の幅を有する。内部にプラグコンタクト３４が位置するスロット３５は、プラグコンタクト４と差込み方向Ｚに整列する。プラグ３３がプラグソケット３内に挿入されると、傾斜面２６は、差込み方向Ｚに沿って最初にスロット３５に入り、プラグコンタクト３４に接触する。プラグ３３が差込み方向Ｚに沿ってさらにプラグソケット３内に押圧されると、プラグコンタクト３４の前方の隅領域３４ａは、前方の（前方に位置する）接点２８がプラグコンタクト３４の下面に載るまで傾斜面２６に沿って摺動するのに対し、ばねコンタクト４は同時に矢印Ｐの向きに押下される。プラグ３３は、さらに押されると、傾斜面２７に当接し、前方の隅領域と共に傾斜面２７をハウジング２の方向に押下する。プラグ３３の最終位置において、プラグコンタクト３４の隅領域は接点２９に載る。接点２８は下方からプラグコンタクト３４に同時に接触する。
【００５３】
プラグ３３は、差込み方向Ｚに沿った前方のハウジング部３６を有する。前方のハウジング部３６は、スロット３５が形成されプラグコンタクト３４が配列されたプラスチック材料製である。ラッチ部材３７は操作部３８を有し、前方のハウジング部３６により弾性的に可撓なやり方で一部品で形成されている。
【００５４】
例えば金属板製のシールド３９は、ケーブル４０の方を向くプラグ３３の一部上の外部を取り囲む。挿入完了状態において、シールド３９は、シールドばねコンタクトとして構成されたばねコンタクト１６及び保持ばね１８の、ばね要素１６の開口Ｏに向って配置された保持点１８ａと接触する。ばねコンタクト１６及び保持ばね１８の、差込み方向Ｚに沿った支持領域１６ａ及び保持点１８ａは、プラグ３３の前方のハウジング部３６に載るのが好ましい。
【００５５】
最後に、図３は、ばねコンタクト４の接続部３１が、ジャックコネクタ１の外側でジャックコネクタ１の外側からアクセス可能な取付コンタクト４１で終わる状態を示す。
【００５６】
図４は、プラグ３３及びジャックコネクタ１の別の一実施形態を示す。既に上述した要素には、同一の参照番号が使用される。簡潔にするために、図１ないし図３で図示された実施形態との相違点のみを説明する。
【００５７】
図４において、プラグ３３は、ＩＥＣ６１０７６−３−１０６規格に従った追加の覆い付きハウジングにより取り囲まれる。ジャックコネクタ１は、差込み方向Ｚを向く前面４２の開口Ｏを取り囲むカラー４３を追加で具備する。
【００５８】
オフセット部４４、すなわちカラー４３の内輪郭にほぼ対応する外輪郭は、プラグ３３上に配置されている。オフセット部４４は、カラー４３内に挿入可能であると共に前面４２に当接することができる。
【００５９】
オフセット部４４及びケーブル固定手段４６間の追加の覆い４５は、カラー４３用の図４には図示されていないソケットを形成する。覆い４５の中に、カラー４３が挿入されロックされる。
【００６０】
図４の実施形態において、プラグ３３のケーブル固定部材４６に取り付けられるケーブル（図示せず）及びジャックコネクタ１を保持するデバイス（図示せず）間の機械的接続は、カラー４３、オフセット部４４及び覆い４５をラッチすることにより行われる。プラグソケット３及び前方のハウジング部３６の製造の精度に過剰な要求事項を課すことなく、プラグ３３の差込み方向Ｚに沿った前方のハウジング部３６を遊びなしの状態に維持するために、ばね要素１６及び保持ばね１８は、上述したようにＸ方向及びＹ方向に沿った弾性実装を与える。
【００６１】
従って、図１ないし図３を参照して説明したジャックコネクタ１の構成は、特に機械的耐力が高いＲＪ４５コネクタに適用することができる。
【００６２】
図５は、プラグ３３の別の構成を示す。プラグ３３は、保持ばね１８に関連した横面に窪み４７が設けられた前方のハウジング部３６を具備する。窪み４７は、保持ばね１８の差込み方向Ｚに沿った後方の保持点１８ａを受容する機能を有するのに対し、開口Ｏに近接した前方の保持点１８ａは、プラグ３３のシールド３９と接触する機能を依然として有する。
【００６３】
次に、図６ないし図９を参照して、ばねコンタクト４の異なる実施形態を説明する。上述した同様の要素には、同様の参照番号が使用される。
【００６４】
図６ないし図８の実施形態は全て、図２に関して上述したように二重のキンク構造を有する。
【００６５】
図６ないし図８はそれぞれ、プラグ３３がジャックコネクタ１内に挿入されないときを仮定した、ばねコンタクト４の非変形状態を破線で示す。プラグ３３の挿入完了時のばねコンタクト４の最終位置は、実線で示される。
【００６６】
図６ないし図９に示されるように、２個の接点２８，２９は、差込み方向Ｚに沿って互いに離間する２点でプラグコンタクト３４の端部に接触する。規格によれば、接点２９は、差込み方向Ｚの前方の隅領域３４ａでプラグコンタクト３４に接触する。前方の接点２８でプラグコンタクト３４を向いた曲げ部は、差込み方向Ｚに延びる、プラグコンタクト３４の下面に接触する。
【００６７】
ばねコンタクト４は、一端Ｑでハウジング２に固定される。
【００６８】
図６ないし図９における相違点は、以下に簡潔に説明する。
【００６９】
図６ないし図８は、プラグ３３が挿入される際に、２個の傾斜面２６，２７間の領域がハウジング２に少なくとも間接的に載る。ばねコンタクト４がハウジング２を向く曲げ部を有する湾曲部３０は、プラグ３３によりハウジング２に向って押圧される支持部Ｅとして作用する。他方、図９において、振動自在に、換言するとプラグソケット３内へ支持部Ｅを形成することなく、ばねコンタクト４が突出する。図６ないし図８の実施形態はまた、湾曲部３０が２個の接点２８，２９の間、及び２個の傾斜面２６，２７の間で差込み方向Ｚに沿って配置されるので、傾斜面２６，２７により形成されるばねコンタクト４の部分は、支持部Ｅの各側で互いに独立して作用する部分ばねを形成し、プラグコンタクト３４の信頼性の高い接触を可能にするという共通の特徴を有する。図６の実施形態において、ばねコンタクト４は、差込み方向Ｚに沿ってジャックコネクタ１の後方の部分から曲げ返され、Ｘ方向及びＹ方向とほぼ平行な平面内にあり、約290〜350°にわたって延びる曲げ部４ｃにより接続される２本の脚４ａ，４ｂを形成する。ハウジング２に近接した脚４ａの一方は、差込み方向Ｚとは逆向に横壁５ａに沿って延びると共に接続部３１を形成する。差込み方向Ｚに沿って延びる脚４ｂは、傾斜面２６，２７及び湾曲部３０を形成する。プラグ３３の挿入状態において、脚４ｂに支持部Ｅを形成する湾曲部３０は、脚４ａに接触するので、信号経路を短縮する。この場合、脚４ａは、少なくとも所定の領域で横壁５ａに載る。
【００７０】
図７において、接続部３１は、ハウジング２の方へ差込み方向Ｚとは逆向きにほぼ連続的に傾斜面２６に連続する。この実施形態は、特に取付コンタクト４１（図３参照）がジャックコネクタ１の下面又は前面に配置されると便利である。
【００７１】
図８の実施形態において、傾斜面２６は顕著に短くされ、基本的にはただ設けられているのみである。傾斜面２７は、差込み方向Ｚに沿って接続部３１内へ直接通過する。
【００７２】
図７及び図８の実施形態において、ハウジング２又は印刷回路基板４８（図１０参照）に湾曲部３０が載ることは、接触目的のため、従って漏話特性を改善するために使用することができる。
【００７３】
図９の実施形態は、支持部Ｅのない２個の接点２８，２９を形成する。この目的のために、ばねコンタクト４は、差込み方向Ｚとは逆向きにプラグソケット３内に延びている。図９の実施形態におけるばねコンタクト４の構造は、２本の脚４ａ，４ｂ及び曲げ部４ｃを有する図６の実施形態におけるばねコンタクト４の構造に類似する。図６の実施形態との相違点は、差込み方向Ｚとは逆向きに延びる脚４ａがハウジング２から所定距離で延びており、端部Ｑでのみ固定される点である。脚４ａは移動自在である。プラグ３３が挿入されると、ばねコンタクト４はハウジング２から所定距離を維持する。
【００７４】
ばねコンタクト４の振動自在な構成のおかげで、水平方向に対する傾斜面２６の角度は、両接点２８，２９が常にプラグコンタクト３４に載るように、プラグ３３の位置に従って調整することができる。プラグコンタクト３４から離間した湾曲部３０は、プラグ３３が生成するばねコンタクト４の張力と共に、プラグコンタクト３４の前方の隅領域３４ａの周囲の傾斜移動によりプラグ３３の異なる位置にばねコンタクト４を適合させることができる。この変形例により、差込み方向Ｚに沿った２個のコンタクト２８，２９間の距離をより短くすることが可能になるので、短いプラグコンタクト３４を有するプラグ３３を使用することができる。
【００７５】
図９の実施形態の一変形例において、プラグ３３が挿入される際の湾曲部３０は、依然として自由な弾性構成を有する脚４ａに載ることができる。
【００７６】
最後に、図１０は、例えば半田付け部４９により、連結又は材料嵌合によって印刷回路基板４８にしっかりと固定されたジャックコネクタ１の別の一実施形態を示す。差込み方向Ｚとは逆を向く前面４２上に、ジャックコネクタ１は保持部材５０を具備する。保持部材５０により、プラグ３３をジャックコネクタ１にしっかりと固定することができる。保持部材５０は、例えばねじ止め接続部又は固いラッチ部材であってもよい。プラグソケット３の構成は、図１及び図３に示される実施形態に対応し、特に差込み方向Ｚに沿って指すプラグ３３の前方ハウジング部３６が所定量浮動することを可能にする。印刷回路基板４８への保持部材５０及び半田付け部４９により、ケーブル４０又はプラグ３３に作用する全ての力は、ばねコンタクト４を介して力が通ることなく、印刷回路基板４９に直接伝達される。
【図面の簡単な説明】
【００７７】
【図１】本発明に従ったジャックコネクタの斜視図である。
【図２】図１のジャックコネクタのばねコンタクトの斜視図である。
【図３】図１のジャックコネクタ及びジャックコネクタ内に不完全に挿入されたプラグからなる構造を示す断面した斜視図である。
【図４】別の一実施形態のジャックコネクタ及びプラグの斜視図である。
【図５】別の一実施形態のプラグの斜視図である。
【図６】別の実施形態のばねコンタクトの部分断面した側面図である。
【図７】別の実施形態のばねコンタクトの部分断面した側面図である。
【図８】別の実施形態のばねコンタクトの部分断面した側面図である。
【図９】別の実施形態のばねコンタクトの部分断面した側面図である。
【図１０】本発明に従った別の一実施形態のジャックコネクタを示す斜視図である。
【符号の説明】
【００７８】
１          ジャックコネクタ
２          ハウジング
３          プラグソケット
４          ばねコンタクト
５ａ，５ｂ  横面
６，７，８，９，１０，１１，１２，１３  ガイド面
１６        ばね要素
１８        保持ばね
１８ｂ      傾斜面
２６，２７  傾斜面
２８，２９  接点
３０        湾曲部
３３        プラグ
３４        プラグコンタクト
４７        窪み
Ａ，Ｂ      距離
Ｅ          支持部
Ｌ          プラグソケットの長さ
Ｚ          差込み方向
【図１】
2010516026.tif 000003
【図２】
2010516026.tif 000004
【図３】
2010516026.tif 000005
【図４】
2010516026.tif 000006
【図５】
2010516026.tif 000007
【図６】
2010516026.tif 000008
【図７】
2010516026.tif 000009
【図８】
2010516026.tif 000010
【図９】
2010516026.tif 000011
【図１０】
2010516026.tif 000012
【国際調査報告】
2010516026.tif 000013
2010516026.tif 000014
2010516026.tif 000015